(57)【要約】【課題】  軽度の色素性乾皮症（通称ＸＰ患者）および極度に紫外線に弱い皮膚の方々が手軽に、且つあらゆる場面に於いても使用可能な、紫外線防止マスクを造ることでで有ります。【解決手段】  宇宙服同様の紫外線防止服の胸元より上部分を、日除け帽子（紫外線通過防止布地使用）、日除けマント（紫外線通過防止布地使用）、本考案マスク（紫外線通過防止材質使用）、と３分割し各部分に自由度を持たせることにして、課題を解決した。【選択図】図３
0003128491.tif 000002
【実用新案登録請求の範囲】
【請求項１】
手軽に使用出来、尚且つ肩から上部分はほぼ完全に紫外線から防御出来る紫外線防止マスク。
【請求項２】
帽子部分、マント部分、紫外線防止マスク部分、を分割出来る構造とした為に、あらゆる場面に対応を可能としたことを特長とした、請求項１の紫外線防止マスク。
【請求項３】
夏の季節に於いても涼しく使用出来ることを特長とした、請求項１の紫外線防止マスク。
【考案の詳細な説明】
【技術分野】
【０００１】  本考案は、軽度の色素性乾皮症（通称ＸＰ患者）および極度に紫外線に弱い、皮膚の方々が手軽に且つあらゆる場面に於いても使用可能な形とした、紫外線防止マスクで有り、これらの方々が太陽光の下にても自由に行動出来る様にした、福祉器具の分野に属します。
【背景技術】
【０００２】  これ以後は添付図面  図１・２・３・４・５・を参照の上で説明する。【０００３】  図１にて説明する、軽度の色素性乾皮症（通称ＸＰ患者）および極度に紫外線に弱い皮膚の方々は、日除け帽子または日除け傘と紫外線帽子マスクを使用して、太陽光の下での屋外行動で有ったが、路面および廻りの壁等からの照り返しにて十分な紫外線防止対策が成されていなかった。【０００４】  図２にて説明する、、一般の色素性乾皮症（通称ＸＰ患者）および極度に紫外線に弱い方々が完全に紫外線を防御して、太陽光の下での行動をする場合は、宇宙服と同様な紫外線防止服が必要で有り、とても現実的で無い紫外線防止服で有った。
【考案が解決しようとする課題】
【０００５】  軽度の色素性乾皮症（通称ＸＰ患者）および極度に紫外線に弱い皮膚の方々が手軽に、且つあらゆる場面に於いても使用可能な、紫外線防止マスクを造ることで有ります。
【課題を解決するための手段】
【０００６】  宇宙服同様の紫外線防止服の胸元より上部分を、日除け帽子（紫外線通過防止布地使用）、日除けマント（紫外線通過防止布地使用）、本考案マスク（紫外線通過防止材質使用）、と３分割し各部分に自由度を持たせることにした。
【０００７】  図４にて説明する、本考案マスクは平面型（品番２１−Ｉ）と曲面型（品番２１−ＩＩ）の２つの形状を用意しており、全周方向に折曲げ部分を有して、そこに日除けマントとの接続用マジックテープを設けて有ります。
【０００８】  本考案マスクには通常のサンバイザーと同様のマスク取付アームを有し、マスク可動ヒンジ（品番２２）にて、ある程度の開閉動作を可能として有ります。
【０００９】  本考案マスクにはマスク固定バンドＩ・ＩＩを設けて有り、マスク固定用マジックテープにて使用者の頭サイズに自由に合わせることが出来、尚且つ堅牢に装着出来る構造として有ります。
【００１０】  図５にて説明する、日除け帽子（紫外線通過帽子布地使用）（品番３１）には日除けマントとの接続用マジックテープを設けて有ります。
【００１１】  日除け帽子（品番３１）の内側には冷却剤格納ポケット（品番３２）を設けて有り、夏場の暑い気候時にはそこに冷却剤（品番３７）を挿入することにて、暑い気候下においても、涼しく日除け帽子（品番３１）を使用出来る工夫を施して有ります。
【００１２】  図５にて説明する、日除けマント（紫外線通過帽子布地使用）（品番３３）には、日除け帽子（品番３１）との接続用マジックテープ（品番３４）を設けて有り、日除け帽子と一体化となる工夫を施して有ります。
【００１３】  日除けマント（品番３３）と本考案マスク（品番２１）とは、マスク側マジックテープ（品番２７）と日除けマント側マジックテープ（品番３４）にて、完全に一体化出来る構造を有し、マジックテープの下側を外すことにて、本考案マスク（品番２１）をサンバイザー同様の開状態に出来る構造と成っております。
【００１４】  日除けマント（品番３３）は前側（胸側）にて開閉出来る様にして有り、下側の衣類の操作が可能な構造として有り、電車等の中では前側を外して広げた状態で使用することも可能な構造として有ります。
【００１５】  日除けマント（品番３３）は前側（胸側）にて開閉出来る様にして有り、その合わせ目は、日除けマント前合わせ用マジックテープ（品番３６）にて自由に開閉出来る構造として有ります。
【００１６】  前述の構造にしたことにて、紫外線の弱い時には日除けマント（品番３３）を脱いだりとか、屋内に於いては日除け帽子（品番３１）も外したりとか、その場その場に応じた服装対応が可能と成った。
【００１７】  本考案図面に於いては接続部は全てマジックテープを使用しておりますが、ファスナー・ホック・釦等にての接続にても、下側および側面側からの紫外線が防止出来れば、それらの使用でもいっこうに問題は有りません。
【００１８】  以上［０００７］〜［００１７］にて記載した考案説明により、［請求項１］〜［請求項３］の課題は解決され、使用可能状態と成った。
【図面の簡単な説明】
【００１９】
【図１】  一般的な紫外線防止対策の服装を示す。
【図２】  完全な紫外線防止服装（宇宙服と同様な物）を示す。
【図３】  本考案の紫外線対策服装の組立状態を示す。
【図４】  本考案マスク部を示す。
【図５】  日除け帽子・日除けマント  部を示す。
【符号の説明】
【００２０】１１        紫外線防止マスク使用者
１２        従来からある紫外線防止マスク
１３        日除け帽子
１４        宇宙服同様の紫外線防止服
２１−Ｉ    本考案平面型マスク（紫外線通過防止材質使用）
２１−ＩＩ  本考案曲面型マスク（紫外線通過防止材質使用）
２２        マスク可動ヒンジ
２３        マスク取付アーム
２４        マスク固定バンドＩ
２５        マスク固定バンドＩＩ
２６        マスク固定用マジックテープ
２７        日除けマントとマスクの接続用・マスク側マジックテープ
３１        日除け帽子（紫外線通過防止布地使用）
３２        冷却剤格納ポケット
３３        日除けマント（紫外線通過防止布地使用）
３４        日除け帽子と日除けマントの、接続用マジックテープ
３５        日除けマントと本考案マスクの・日除けマント側マジックテープ
３６        日除けマントの前合わせ用マジックテープ
３７        冷却剤
【図１】
0003128491.tif 000003
【図２】
0003128491.tif 000004
【図３】
0003128491.tif 000005
【図４】
0003128491.tif 000006
【図５】
0003128491.tif 000007
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
帽子部分、マント部分、マスク部分、にて構成されており、頭頂部分から肩部分迄を、ほぼ完全に紫外線から防御出来る紫外線防止マスク。
【請求項２】
帽子部分、マント部分、マスク部分、を分割出来る構造としたことを特長とした、請求項１の紫外線防止マスク。
【請求項３】
帽子部分内部に設けたポケットに冷却剤を装着出来る工夫を施してあることを特長とした、請求項１の紫外線防止マスク。
【手続補正２】
【補正対象書類名】明細書
【補正対象項目名】全文
【補正方法】変更
【補正の内容】
【考案の詳細な説明】
【技術分野】
【０００１】  本考案は、軽度の色素性乾皮症（通称ＸＰ患者）および極度に紫外線に弱い、皮膚の方々が手軽に且つあらゆる場面に於いても使用可能な形とした、紫外線防止マスクで有り、これらの方々が太陽光の下にても自由に行動出来る様にした、福祉器具の分野に属します。
【背景技術】
【０００２】  これ以後は添付図面  図１・２・３・４・５・を参照の上で説明する。【０００３】  図１にて説明する、軽度の色素性乾皮症（通称ＸＰ患者）および極度に紫外線に弱い皮膚の方々は、日除け帽子または日除け傘と紫外線帽子マスクを使用して、太陽光の下での屋外行動で有ったが、路面および廻りの壁等からの照り返しにて十分な紫外線防止対策が成されていなかった。【０００４】  図２にて説明する、、一般の色素性乾皮症（通称ＸＰ患者）および極度に紫外線に弱い方々が完全に紫外線を防御して、太陽光の下での行動をする場合は、宇宙服と同様な紫外線防止服が必要で有り、とても現実的で無い紫外線防止服で有った。
【考案が解決しようとする課題】
【０００５】  軽度の色素性乾皮症（通称ＸＰ患者）および極度に紫外線に弱い皮膚の方々が手軽に、且つあらゆる場面に於いても使用可能な、紫外線防止マスクを造ることで有ります。
【課題を解決するための手段】
【０００６】  宇宙服同様の紫外線防止服の胸元より上部分を、日除け帽子（紫外線通過防止布地使用）、日除けマント（紫外線通過防止布地使用）、本考案マスク（紫外線通過防止材質使用）、と３分割し各部分に自由度を持たせることにした。
【０００７】  図４にて説明する、本考案マスクは平面型（品番２１−１）と曲面型（品番２１−ＩＩ）の２つの形状を用意しており、全周方向に折曲げ部分を有して、そこに日除けマントとの接続用マジックテープ（登録商標）を設けて有ります。
【０００８】  本考案マスクには通常のサンバイザーと同様のマスク取付アームを有し、マスク可動ヒンジ（品番２２）にて、ある程度の開閉動作を可能として有ります。
【０００９】  本考案マスクにはマスク固定バンドＩ・ＩＩを設けて有り、マスク固定用マジックテープ（登録商標）にて使用者の頭サイズに自由に合わせることが出来、尚且つ堅牢に装着出来る構造として有ります。
【００１０】  図５にて説明する、日除け帽子（紫外線通過帽子布地使用）（品番３１）には日除けマントとの接続用マジックテープ（登録商標）を設けて有ります。
【００１１】  日除け帽子（品番３１）の内側には冷却剤格納ポケット（品番３２）を設けて有り、夏場の暑い気候時にはそこに冷却剤（品番３７）を挿入することにて、暑い気候下においても、涼しく日除け帽子（品番３１）を使用出来る工夫を施して有ります。
【００１２】  図５にて説明する、日除けマント（紫外線通過帽子布地使用）（品番３３）には、日除け帽子（品番３１）との接続用マジックテープ（登録商標）（品番３４）を設けて有り、日除け帽子と一体化となる工夫を施して有ります。
【００１３】  日除けマント（品番３３）と本考案マスク（品番２１）とは、マスク側マジックテープ（登録商標）（品番２７）と日除けマント側マジックテープ（登録商標）（品番３４）にて、完全に一体化出来る構造を有し、マジックテープ（登録商標）の下側を外すことにて、本考案マスク（品番２１）をサンバイザー同様の開状態に出来る構造と成っております。
【００１４】  日除けマント（品番３３）は前側（胸側）にて開閉出来る様にして有り、下側の衣類の操作が可能な構造として有り、電車等の中では前側を外して広げた状態で使用することも可能な構造として有ります。
【００１５】  日除けマント（品番３３）は前側（胸側）にて開閉出来る様にして有り、その合わせ目は、日除けマント前合わせ用マジックテープ（登録商標）（品番３６）にて自由に開閉出来る構造として有ります。
【００１６】  前述の構造にしたことにて、紫外線の弱い時には日除けマント（品番３３）を脱いだりとか、屋内に於いては日除け帽子（品番３１）も外したりとか、その場その場に応じた服装対応が可能と成った。
【００１７】  本考案図面に於いては接続部は全てマジックテープ（登録商標）を使用しておりますが、ファスナー・ホック・釦等にての接続にても、下側および側面側からの紫外線が防止出来れば、それらの使用でもいっこうに問題は有りません。
【００１８】  以上［０００７］〜［００１７］にて記載した考案説明により、［請求項１］〜［請求項３］の課題は解決され、使用可能状態と成った。
【図面の簡単な説明】
【００１９】
【図１】  一般的な紫外線防止対策の服装を示す。
【図２】  完全な紫外線防止服装（宇宙服と同様な物）を示す。
【図３】  本考案の紫外線対策服装の組立状態を示す。
【図４】  本考案マスク部を示す。
【図５】  日除け帽子・日除けマント  部を示す。
【符号の説明】
【００２０】１１        紫外線防止マスク使用者
１２        従来からある紫外線防止マスク
１３        日除け帽子
１４        宇宙服同様の紫外線防止服
２１−Ｉ    本考案平面型マスク（紫外線通過防止材質使用）
２１−ＩＩ  本考案曲面型マスク（紫外線通過防止材質使用）
２２        マスク可動ヒンジ
２３        マスク取付アーム
２４        マスク固定バンドＩ
２５        マスク固定バンドＩＩ
２６        マスク固定用マジックテープ（登録商標）
２７        日除けマントとマスクの接続用・マスク側マジックテープ（登録商標）
３１        日除け帽子（紫外線通過防止布地使用）
３２        冷却剤格納ポケット
３３        日除けマント（紫外線通過防止布地使用）
３４        日除け帽子と日除けマントの、接続用マジックテープ（登録商標）
３５        日除けマントと本考案マスクの・日除けマント側マジックテープ（登録商標）
３６        日除けマントの前合わせ用マジックテープ（登録商標）
３７        冷却剤